(57)【要約】【課題】付属構造物を施工する際の安全性を確保しやすくなる、付属構造物の施工方法を提供すること。【解決手段】付属構造物の施工方法は、多層建物１において複数の階層にわたって設置される付属構造物を施工するための施工方法であって、複数の階層のうち対象階層で付属構造物の少なくとも一部を組み立てる組立工程と、組立工程が行われる前の付属構造物を設置空間Ｓに対応する位置まで運搬する運搬工程と、組立工程及び運搬工程が行われた後に、複数の床部のうち設置空間Ｓに対応する床部の一部を撤去することにより、吹き抜け開口４１を形成する形成工程と、形成工程にて形成された吹き抜け開口４１を介して組立工程において組み立てられた付属構造物を昇降させることにより、付属構造物を設置空間Ｓに設置する設置工程と、を含む。【選択図】図１
2020020168.tif 000002
【特許請求の範囲】
【請求項１】
多層建物において複数の階層にわたって設置される付属構造物を施工するための施工方法であって、
前記複数の階層のうち前記付属構造物の組立作業を行う対象となる対象階層で前記付属構造物の少なくとも一部を組み立てる組立工程と、
前記組立工程が行われる前又は前記組立工程が行われた後の前記付属構造物を前記対象階層における前記付属構造物を設置する設置空間に対応する位置まで運搬する運搬工程と、
前記組立工程及び前記運搬工程が行われた後に、前記多層建物を構成する複数の床部のうち前記設置空間に対応する床部の一部を撤去することにより、吹き抜け開口を形成する形成工程と、
前記形成工程にて形成された前記吹き抜け開口を介して前記組立工程において組み立てられた前記付属構造物を昇降させることにより、当該付属構造物を前記設置空間に設置する設置工程と、
を含む付属構造物の施工方法。
【請求項２】
前記運搬工程において、前記組立工程が行われる前の前記付属構造物を前記対象階層における前記設置空間に対応する位置まで運搬し、
前記組立工程において、前記運搬工程にて運搬された前記付属構造物の少なくとも一部を組み立てる、
請求項１に記載の付属構造物の施工方法。
【請求項３】
前記多層建物において複数の前記付属構造物を施工するための当該施工方法であって、
前記複数の階層は、前記対象階層を複数含み、
前記組立工程において、前記複数の対象階層の各々で前記付属構造物を組み立て、
前記運搬工程において、前記組立工程が行われる前又は前記組立工程が行われた後の前記付属構造物を前記複数の対象階層の各々に搬送し、
前記形成工程において、前記複数の対象階層の各々に対応する前記床部の一部を撤去することにより、前記吹き抜け開口を複数形成し、
前記設置工程において、前記複数の対象階層の各々に対応する前記吹き抜け開口を介して前記複数の対象階層の各々で組み立てられた前記付属構造物をそれぞれ昇降させた後に、当該付属構造物を前記設置空間にそれぞれ設置する、
請求項１又は２に記載の付属構造物の施工方法。
【請求項４】
前記付属構造物は、階段を含む、
請求項１から３のいずれか一項に記載の付属構造物の施工方法。
【発明の詳細な説明】
【技術分野】
【０００１】
本発明は、付属構造物の施工方法に関する。
【背景技術】
【０００２】
従来、複数の階層を有する多層建物の内部において階層間にわたって階段を設ける技術の一つとして、複数の階層の内部空間を連通する吹き抜け空間（既設の吹き抜け空間）を有する多層建物において、所定の階層の踊場まであらかじめ組み立てられた階段部を吹き抜け空間まで運搬し（又は、所定の階層の踊場において階段部の部材を運搬した後に階段部を組み立て）、揚重機を用いて階段部を所定の階層の踊場と隣接する階層の踊場とに載置し、当該載置した階段部をこれら踊場に取り付けられたスタッドボルトによって固定する技術が提案されている。
【先行技術文献】
【特許文献】
【０００３】
【特許文献１】特開２００９−０２４４４９号公報
【発明の概要】
【発明が解決しようとする課題】
【０００４】
ここで、上記従来の技術においては、階段部（又はその部材）を踊場まで運搬する運搬作業、又は階段部を組立てる組立作業が吹き抜け空間の近傍で行われるので、例えば、上記運搬作業又は上記組立作業が行われる際に階段部の部材又は人が吹き抜け空間に落下するおそれがあると共に、上記組立作業が行われる際に部材同士を溶接するときに生じた火花が吹き抜け空間に落下するおそれがあることから、階段部の如き付属構造物を施工する際の安全性を確保する観点からは改善の余地があった。
【０００５】
本発明は、上記に鑑みてなされたものであって、付属構造物を施工する際の安全性を確保しやすくなる、付属構造物の施工方法を提供することを目的とする。
【課題を解決するための手段】
【０００６】
上述した課題を解決し、目的を達成するために、請求項１に記載の付属構造物の施工方法は、多層建物において複数の階層にわたって設置される付属構造物を施工するための施工方法であって、前記複数の階層のうち前記付属構造物の組立作業を行う対象となる対象階層で前記付属構造物の少なくとも一部を組み立てる組立工程と、前記組立工程が行われる前又は前記組立工程が行われた後の前記付属構造物を前記対象階層における前記付属構造物を設置する設置空間に対応する位置まで運搬する運搬工程と、前記組立工程及び前記運搬工程が行われた後に、前記多層建物を構成する複数の床部のうち前記設置空間に対応する床部の一部を撤去することにより、吹き抜け開口を形成する形成工程と、前記形成工程にて形成された前記吹き抜け開口を介して前記組立工程において組み立てられた前記付属構造物を昇降させることにより、当該付属構造物を前記設置空間に設置する設置工程と、を含む。
【０００７】
請求項２に記載の付属構造物の施工方法は、請求項１に記載の付属構造物の施工方法において、前記運搬工程において、前記組立工程が行われる前の前記付属構造物を前記対象階層における前記設置空間に対応する位置まで運搬し、前記組立工程において、前記運搬工程にて運搬された前記付属構造物の少なくとも一部を組み立てる。
【０００８】
請求項３に記載の付属構造物の施工方法は、請求項１又は２に記載の付属構造物の施工方法において、前記多層建物において複数の前記付属構造物を施工するための当該施工方法であって、前記複数の階層は、前記対象階層を複数含み、前記組立工程において、前記複数の対象階層の各々で前記付属構造物を組み立て、前記運搬工程において、前記組立工程が行われる前又は前記組立工程が行われた後の前記付属構造物を前記複数の対象階層の各々に搬送し、前記形成工程において、前記複数の対象階層の各々に対応する前記床部の一部を撤去することにより、前記吹き抜け開口を複数形成し、前記設置工程において、前記複数の対象階層の各々に対応する前記吹き抜け開口を介して前記複数の対象階層の各々で組み立てられた前記付属構造物をそれぞれ昇降させた後に、当該付属構造物を前記設置空間にそれぞれ設置する。
【０００９】
請求項４に記載の付属構造物の施工方法は、請求項１から３のいずれか一項に記載の付属構造物の施工方法において、前記付属構造物は、階段を含む。
【発明の効果】
【００１０】
請求項１に記載の付属構造物の施工方法によれば、組立工程及び運搬工程が行われた後に、多層建物を構成する複数の床部のうち設置空間に対応する床部の一部を撤去することにより、吹き抜け開口を形成する形成工程と、形成工程にて形成された吹き抜け開口を介して組立工程において組み立てられた付属構造物を昇降させることにより、当該付属構造物を設置空間に設置する設置工程と、を含むので、従来技術（既設の吹き抜け空間で各階層の階段部を設置する技術）に比べて、例えば、組立工程時又は運搬工程時での付属構造物の部材又は人が吹き抜け開口を介して下の階層に落下することを抑制できると共に、組立作業が行われる際に付属構造物の部材同士を溶接するときに生じた火花（又は煙）が吹き抜け開口を介して下の階層に落下することを抑制できる。よって、組立工程時及び運搬工程時において人の作業安全性及び多層建物の火災安全性を高めることができ、付属構造物を施工する際の安全性を確保しやすくなる。
【００１１】
請求項２に記載の付属構造物の施工方法によれば、運搬工程において、組立工程が行われる前の付属構造物を対象階層における設置空間に対応する位置まで運搬し、組立工程において、運搬工程にて運搬された付属構造物の少なくとも一部を組み立てるので、例えば対象階層のうち設置空間に対応しない位置で付属構造物を組み立てる場合に比べて、組立後の付属構造物を対象階層における設置空間に対応する位置まで搬送する作業（いわゆる横引き作業）を省略でき、付属構造物の施工を効率的に行うことができる。
【００１２】
請求項３に記載の付属構造物の施工方法によれば、組立工程において、複数の対象階層の各々で付属構造物を組み立て、運搬工程において、組立工程が行われる前又は組立工程が行われた後の付属構造物を複数の対象階層の各々に搬送し、形成工程において、複数の対象階層の各々に対応する床部の一部を撤去することにより、吹き抜け開口を複数形成し、設置工程において、複数の対象階層の各々に対応する吹き抜け開口を介して複数の対象階層の各々で組み立てられた付属構造物をそれぞれ昇降させた後に、当該付属構造物を設置空間にそれぞれ設置するので、複数の付属構造物の各々の搬送作業及び組立作業を並行して行うことができ、複数の付属構造物の一部の搬送作業が複数の付属構造物の他の一部の搬送作業の進捗に左右されることを回避でき、組立工程及び搬送工程を効率的に実施できる。
【００１３】
請求項４に記載の付属構造物の施工方法によれば、付属構造物が階段を含むので、組立工程時又は運搬工程時での階段の部材が吹き抜け開口を介して下の階層に落下することを抑制できると共に、組立作業が行われる際に階段の部材同士を溶接するときに生じた火花（又は煙）が吹き抜け開口を介して下の階層に落下することを抑制でき、階段を施工する際の安全性を確保しやすくなる。
【図面の簡単な説明】
【００１４】
【図１】本発明の実施の形態に係る多層建物を概念的に示す斜視図である（一部図示省略）。
【図２】施工方法の準備工程を示す側面図である（一部図示省略）。
【図３】施工方法の運搬工程を示す側面図である（一部図示省略）。
【図４】施工方法の組立工程を示す側面図である（一部図示省略）。
【図５】施工方法の形成工程を示す側面図である（一部図示省略）。
【図６】施工方法の設置工程を示す側面図である（一部図示省略）。
【発明を実施するための形態】
【００１５】
以下に添付図面を参照して、この発明に係る付属構造物の施工方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１６】
〔Ｉ〕実施の形態の基本的概念
まず、実施の形態の基本的概念について説明する。実施の形態は、概略的に、多層建物において複数の階層にわたって設置される付属構造物を施工するための施工方法に関する。ここで、「多層建物」の具体的な構造や種類は任意であり、例えば、戸建て住宅、アパートやマンションの如き集合住宅、オフィスビル、商業施設等の建物等を含む概念であるが、実施の形態では、改修中のオフィスビルとして説明する。また、「付属構造物」とは、例えば、多層建物に付属される構造物であり、例えば、階段、エスカレータ等を含む概念であるが、実施の形態では、階段（具体的には、折り返し階段）として説明する。
【００１７】
〔ＩＩ〕実施の形態の具体的内容
次に、実施の形態の具体的内容について説明する。
【００１８】
（構成−多層建物）
最初に、実施の形態に係る多層建物の構成について説明する。図１は、本発明の実施の形態に係る多層建物を概念的に示す斜視図である（一部図示省略）。以下の説明では、図１のＸ方向を多層建物の左右方向（−Ｘ方向を多層建物の左方向、＋Ｘ方向を多層建物の右方向）、図１のＹ方向を多層建物の前後方向（＋Ｙ方向を多層建物の前方向、−Ｙ方向を多層建物の後方向）、図１のＺ方向を多層建物の上下方向（＋Ｚ方向を多層建物の上方向、−Ｚ方向を多層建物の下方向）と称する。
【００１９】
多層建物１は、複数の階層（実施の形態では、４つの階層）を有する建物である。この多層建物１は、例えば公知の多層建物（一例として、コンクリート製の多層建物等）を用いて構成されており、図１に示すように、図示しない設置面に設置され、天井部１０、第１床部から第４床部２４（第１床部の図示省略）、第１梁部３１から第４梁部３４、第１壁部から第４壁部（図示省略）、第１柱部から第４柱部（図示省略）、第１付属構造物５１、第２付属構造物５２、及び第３付属構造物（図示省略）を備えている。
【００２０】
（構成−多層建物−天井部）
天井部１０は、多層建物１を構成する天井であり、例えば公知のコンクリート製の天井材等）を用いて構成され、図１に示すように、多層建物１の上端部に設けられている。
【００２１】
（構成−多層建物−第１床部から第４床部）
第１床部から第４床部２４は、多層建物１を構成する床であり、例えば公知のコンクリート製の床材（一例として、スパンクリート、気泡コンクリートパネル（ＡＬＣパネル）、鉄筋コンクリートのパネル）を用いて構成され、図１に示すように、相互に間隔を隔てて上下方向に向けて並設されている。具体的には、第１床部から第４床部２４は、下方から上方に向けて第１床部から第４床部２４の順に並設されている。なお、以下の説明では、多層建物１の階層のうち、第１床部と第２床部２２と相互間に位置する階層（図示省略）を「第１階層」と称し、第２床部２２と第３床部２３との相互間に位置する階層１ａを「第２階層１ａ」と称し、第３床部２３と第４床部２４との相互間に位置する階層１ｂを「第３階層１ｂ」と称し、第４床部２４と天井部１０との相互間に位置する階層１ｃを「第４階層１ｃ」と称する。
【００２２】
（構成−多層建物−第１梁部から第４梁部）
第１梁部３１から第４梁部３４は、第２床部２２から第４床部２４及び天井部１０を支持する梁であり、例えば公知の鋼製の梁材（又は公知のコンクリート製の梁材）を用いて構成され、対応する床部にそれぞれ設けられている。具体的には、図１に示すように、第１梁部３１は第２床部２２の下面と当接するように複数設けられ、第２梁部３２は第３床部２３の下面と当接するように複数設けられ、第３梁部３３は第４床部２４の下面と当接するように複数設けられ、第４梁部３４は天井部１０の下面と当接するように複数設けられている。
【００２３】
（構成−多層建物−第１壁部から第４壁部）
第１壁部から第４壁部は、多層建物１を構成する壁であり、例えば公知のコンクリート製の壁材を用いて構成され、対応する階層にそれぞれ設けられている。具体的には、図１に示すように、第１壁部は第１階層に複数設けられ、第２壁部は第２階層１ａに複数設けられ、第３壁部は第３階層１ｂに複数設けられ、第４壁部は第４階層１ｃに複数設けられている。
【００２４】
（構成−多層建物−第１柱部から第４柱部）
第１柱部から第４柱部は、多層建物１を構成する柱であり、例えば公知のコンクリート製の柱材を用いて構成され、対応する階層にそれぞれ設けられている。具体的には、図１に示すように、第１柱部は第１階層に設けられ、第２柱部は第２階層１ａに設けられ、第３柱部は第３階層１ｂに設けられ、第４柱部は第４階層１ｃに設けられている。
【００２５】
（構成−多層建物−その他の構成）
また、図１に示すように、第２床部２２、第３床部２３、及び第４床部２４の各々には、吹き抜け開口４１が設けられている。吹き抜け開口４１は、第１階層から第４階層１ｃの各々の内部空間を連通するための開口であり、左右方向に長尺な長方形状に形成されており、第２床部２２、第３床部２３、及び第４床部２４の各々の設置空間Ｓに対応する部分に配置されている。ここで、「設置空間Ｓ」とは、後述の対象階層における付属構造物を設置する空間を意味する。
【００２６】
また、図１に示すように、第１階層、第２階層１ａ、及び第３階層１ｂの各々には、支持部４２が設けられている。支持部４２は、第１付属構造物５１、第２付属構造物５２、又は第３付属構造物を支持するための支持手段である。この支持部４２は、第１付属構造物５１、第２付属構造物５２、第３付属構造物の各々の後述する第１階段部６０ａ及び第２階段部６０ｂの踊場部６２ａ、６２ｂの近傍に配置されており、当接部４３及び支柱部４４ａ、４４ｂを備えている。
【００２７】
このうち、当接部４３は、後述する第１階段部６０ａ及び第２階段部６０ｂの踊場部６２ａ、６２ｂと当接するものである。この当接部４３は、例えば長尺な鋼製の梁材を用いて構成されており、図１に示すように、当接部４３の長手方向が前後方向に沿うように設けられ、且つ後述する第１階段部６０ａ及び第２階段部６０ｂの踊場部６２ａ、６２ｂと当接可能な位置に設けられている。また、支柱部４４ａ、４４ｂは、当接部４３を支持するものである。これら支柱部４４ａ、４４ｂは、例えば長尺な鋼製の柱材を用いて構成されており、図１に示すように、第１床部（具体的には、第１床部の図示しない多層建物１の基礎部に対応する部分）、第２床部２２（具体的には、第２床部２２の第１梁部３１に対応する部分）、及び第３床部２３（具体的には、第３床部２３の第２梁部３２に対応する部分）に対してそれぞれ立設されており、且つ対応する当接部４３を挟持するように、相互に間隔を隔てて前後方向に沿って並設されている。具体的には、第１階層の支柱部４４ａ、４４ｂの各々は、基礎部に対して固定具等によって接続されていると共に、当接部４３に対して固定具又は溶接等によって接続されている。また、第２階層１ａの支柱部４４ａ、４４ｂの各々は、第１梁部３１に対して固定具又は溶接等によって接続されていると共に、当接部４３に対して固定具又は溶接等によって接続されている。また、第３階層１ｂの支柱部４４ａ、４４ｂの各々は、第２梁部３２に対して固定具又は溶接等によって接続されていると共に、当接部４３に対して固定具又は溶接等によって接続されている。
【００２８】
（構成−多層建物−第１付属構造物、第２付属構造物、第３付属構造物）
第１付属構造物５１は第３階層１ｂに付属（設置）される構造物であり、第２付属構造物５２は第２階層１ａに付属される構造物であり、第３付属構造物は第１階層に付属される構造物である。ただし、これら第１付属構造物５１、第２付属構造物５２、及び第３付属構造物の構成はそれぞれ略同一であるので、以下では、第１付属構造物５１の構成のみについて説明する。
【００２９】
第１付属構造物５１は、例えば公知の階段（一例として、鋼製の階段等）を用いて構成され、図１に示すように、第３階層１ｂの設置空間Ｓに設けられており、第１階段部６０ａ、第２階段部６０ｂ、段板部７０、及び手摺部８０を備えている。
【００３０】
（構成−多層建物−第１付属構造物、第２付属構造物、第３付属構造物−第１階段部、第２階段部）
第１階段部６０ａ及び第２階段部６０ｂは、第１付属構造物５１の基本構造体である。これら第１階段部６０ａ及び第２階段部６０ｂは、例えば公知の鋼製のササラ桁等を用いて構成され、図１に示すように、第３階層１ｂの設置空間Ｓに設けられており、具体的には、第１階段部６０ａは、設置空間Ｓの前方側に配置されており、第２階段部６０ｂは、設置空間Ｓの後方側に配置されている。また、これら第１階段部６０ａ及び第２階段部６０ｂの各々は、階段部本体６１ａ、６１ｂ、及び踊場部６２ａ、６２ｂを備えている。
【００３１】
（構成−多層建物−第１付属構造物、第２付属構造物、第３付属構造物−第１階段部、第２階段部−階段部本体）
階段部本体６１ａ、６１ｂは、第１階段部６０ａ又は第２階段部６０ｂの基本構造体である。これら階段部本体６１ａ、６１ｂは、長尺な鋼製の板状体にて形成されており、図１に示すように、相互に間隔を隔てて前後方向に沿って並設され、具体的には、階段部本体６１ａは、階段部本体６１ｂよりも前方側に設けられている。
【００３２】
また、階段部本体６１ａ、６１ｂの具体的な形状及び大きさについては任意であるが、実施の形態では、以下の通りに設定している。すなわち、まず、階段部本体６１ａ、６１ｂの正面形状については、上下方向に傾斜した傾斜状に設定している。具体的には、第１階段部６０ａの階段部本体６１ａ、６１ｂの正面形状については、右方側から左方側に至るにつれて上方に至るように傾斜した傾斜状に設定している。また、第２階段部６０ｂの階段部本体６１ａ、６１ｂの正面形状については、左方側から右方側に至るにつれて上方に至るように傾斜した傾斜状に設定している。また、階段部本体６１ａ、６１ｂの左右方向の長さについては、吹き抜け開口４１の左右方向の長さよりも短く設定している。また、階段部本体６１ａ、６１ｂの上下方向の長さについては、第３階層１ｂの上下方向の長さの半分程度に設定している。また、階段部本体６１ａ、６１ｂの厚さ（前後方向の長さ）については、所望の耐荷力を得ることが可能な長さに設定している。
【００３３】
また、階段部本体６１ａ、６１ｂの具体的な構成については任意であるが、実施の形態では、図１に示すように、階段部本体６１ａ、６１ｂには、載置部６３が設けられている。この載置部６３は、段板部７０を載置するための載置手段であり、階段部本体６１ａ、６１ｂの各々の上端部を切り欠くことにより複数形成されている。
【００３４】
（構成−多層建物−第１付属構造物、第２付属構造物、第３付属構造物−階段部−踊場部）
踊場部６２ａ、６２ｂは、第１階段部６０ａ又は第２階段部６０ｂにおいて踊場を形成するためのものである。これら踊場部６２ａ、６２ｂは、例えば鋼製の長尺な板状体にて形成されており、図１に示すように、相互に間隔を隔てて前後方向に沿って並設されている（図１では、踊場部６２ａが踊場部６２ｂよりも前方側に設けられている）。具体的には、第１階段部６０ａの踊場部６２ａの右端部は第１階段部６０ａの階段部本体６１ａの上部と接続されており、第１階段部６０ａの踊場部６２ｂの右端部は第１階段部６０ａの階段部本体６１ｂの上部と接続されている。第２階段部６０ｂの踊場部６２ａの右端部は第２階段部６０ｂの下部と接続されており、第２階段部６０ｂの踊場部６２ｂの右端部は第２階段部６０ｂの階段部本体６１ｂの下部と接続されている。
【００３５】
また、踊場部６２ａ、６２ｂの具体的な形状及び大きさについては任意であるが、実施の形態では、以下の通りに設定している。すなわち、まず、踊場部６２ａ、６２ｂの正面形状については、左右方向に沿った直線状に設定している。また、踊場部６２ａ、６２ｂの左右方向の長さについては、階段部本体６１ａ、６１ｂの左右方向の長さよりも短く設定している。また、踊場部６２ａ、６２ｂの上下方向の長さ及び厚さ（前後方向の長さ）については、所望の耐荷力を得ることが可能な長さに設定している。
【００３６】
また、第１階段部６０ａ又は第２階段部６０ｂの形成方法については任意であるが、実施の形態では、鋼板等を折り曲げ成形することにより、階段部本体６１ａ及び踊場部６２ａを一体形成すると共に、階段部本体６１ｂ及び踊場部６２ｂを一体形成している。ただし、これに限らず、例えば、鋼板等を折り曲げ成形することにより、階段部本体６１ａ及び踊場部６２ａを別体形成し、且つ階段部本体６１ｂ及び踊場部６２ｂを別体に形成した後に、階段部本体６１ａ及び踊場部６２ａを溶接等によって接続し、且つ階段部本体６１ｂ及び踊場部６２ｂを溶接等によって接続してもよい（この場合には、階段部本体６１ａ又は階段部本体６１ｂは、さらに細かく分割して構成されてもよい）。
【００３７】
また、第１階段部６０ａ又は第２階段部６０ｂの設置方法については任意であるが、実施の形態では、以下の通りに設置している。すなわち、図１に示すように、第１階段部６０ａについては、階段部本体６１ａ、６１ｂの下部を第２梁部３２と当接させると共に、踊場部６２ａ、６２ｂの下端部を支持部４２の当接部４３と当接させるように配置し、階段部本体６１ａ、６１ｂを第２梁部３２に対して固定具又は溶接等によって固定すると共に、踊場部６２ａ、６２ｂを支持部４２の当接部４３に対して固定具又は溶接等によって固定する（なお、第３付属構造物の第１階段部６０ａについては、階段部本体６１ａ、６１ｂの下部を多層建物１の基礎部と当接させて、この基礎部に対して固定具等によって固定する）。また、第２階段部６０ｂについては、踊場部６２ａ、６２ｂの下端部を支持部４２の当接部４３と当接させると共に、階段部本体６１ａ、６１ｂの上部を第３梁部３３と当接させるように配置し、踊場部６２ａ、６２ｂを支持部４２の当接部４３に対して固定具又は溶接等によって固定すると共に、階段部本体６１ａ、６１ｂを第４梁部３４に対して固定具又は溶接等によって固定する。
【００３８】
（構成−多層建物−第１付属構造物、第２付属構造物、第３付属構造物−段板部）
段板部７０は、第１付属構造物５１において人の足により踏まれるものである。この段板部７０は、例えば鋼製の平坦な板状体（具体的な、矩形状の板状体）にて形成されており、図１に示すように、第１階段部６０ａ及び第２階段部６０ｂの各々の階段部本体６１ａ、６１ｂの相互間及び踊場部６２ａ、６２ｂの相互間にわたって複数設けられている。具体的には、第１階段部６０ａ及び第２階段部６０ｂの各々の階段部本体６１ａ、６１ｂの複数の載置部６３にそれぞれ載置され、当該階段部本体６１ａ、６１ｂに対して固定具、溶接、又は嵌合構造等によって固定されている。また、第１階段部６０ａ及び第２階段部６０ｂの各々の踊場部６２ａ、６２ｂの上端部に載置され、当該踊場部６２ａ、６２ｂに対して固定具、溶接、又は嵌合構造等によって固定されている。
【００３９】
（構成−多層建物−第１付属構造物、第２付属構造物、第３付属構造物−手摺部）
手摺部８０は、当該手摺部８０に人がつかまることで第１付属構造物５１からの転落を防止するためのものである。この手摺部８０は、例えば公知の鋼製の階段用手摺等を用いて構成されており、第１階段部６０ａ及び第２階段部６０ｂの各々に設けられている。具体的には、図１に示すように、第１階段部６０ａの階段部本体６１ｂの上端部に立設されており、この階段部本体６１ｂに対して固定具等によって接続されている。また、第２階段部６０ｂの階段部本体６１ａ、６１ｂ及び踊場部６２ｂの上端部の後端部に立設されており、これら階段部本体６１ａ、６１ｂ及び踊場部６２ｂに対して固定具等によって接続されている。
【００４０】
（付属構造物の施工方法）
次に、第１付属構造物５１、第２付属構造物５２、及び第３付属構造物の施工方法について説明する。ただし、これら第１付属構造物５１、第２付属構造物５２、及び第３付属構造物の施工方法はそれぞれ略同一であるので、以下では、第１付属構造物５１の施工方法のみについて説明する。なお、第１付属構造物５１の施工方法の前提としては、第２床部２２、第３床部２３、及び第４床部２４の各々にあらかじめ設けられた吹き抜け開口４１が仮設床部２６（例えばコンクリート製の床材等）によって閉鎖された状態（以下、「閉鎖状態」と称する）であるものとして説明する。
【００４１】
図２は、施工方法の準備工程を示す側面図である（一部図示省略）。図３は、施工方法の運搬工程を示す側面図である（一部図示省略）。図４は、施工方法の組立工程を示す側面図である（一部図示省略）。図５は、施工方法の形成工程を示す側面図である（一部図示省略）。図６は、施工方法の設置工程を示す側面図である（一部図示省略）。図１から図６に示すように、実施の形態に係る第１付属構造物５１の施工方法は、準備工程、運搬工程、組立工程、形成工程、設置工程、及び仕上工程を含んでいる。
【００４２】
（付属構造物の施工方法−準備工程）
まず、準備工程について説明する。準備工程は、第１付属構造物５１の施工の準備を行うための工程である。
【００４３】
具体的には、図２に示すように、第３階層１ｂの設置空間Ｓの近傍に、支持部４２、仮設支持部９０、仮受梁部１００ａ〜１００ｃ、仮設足場１１０、及びチェーンブロック１１２を設置する。
【００４４】
このうち、仮設支持部９０は、第１付属構造物５１の第２階段部６０ｂを支持するための仮設支持手段である。この仮設支持部９０は、例えば支持部４２と略同様に構成され、図２に示すように、第３階層１ｂの設置空間Ｓの右端部近傍に設けられ、当接部９１及び一対の支柱部（図示省略）を備える。
【００４５】
また、仮受梁部１００ａ〜１００ｃは、運搬工程時に第１付属構造物５１の第１階段部６０ａ又は第２階段部６０ｂを仮受けするための梁部である。この仮受梁部１００ａ〜１００ｃは、例えば長尺な鋼製の梁材を用いて構成され、仮受梁部１００ａ〜１００ｃの長手方向が前後方向に沿うように設けられる。具体的には、図２に示すように、仮受梁部１００ａは第３床部２３における仮設支持部９０に対応する部分（具体的には、第３床部２３の第２梁部３２に対応する部分）の上面に載置され、仮受梁部１００ｂは第３床部２３における支持部４２に対応する部分（具体的には、第３床部２３の第２梁部３２に対応する部分）の上面に載置され、仮受梁部１００ｃは支持部４２の当接部４３の上面に載置される。
【００４６】
また、仮設足場１１０は、運搬工程、組立工程、形成工程、設置工程、又は仕上工程の作業時に用いられる足場であり、例えば公知の鋼製の仮設足場等を用いて構成され、図２に示すように、仮設支持部９０の近傍に設けられ、第３床部２３に対して固定具等によって固定される。なお、実施の形態では、図２に示すように、仮設足場１１０と第４床部２４とに接続された転倒防止材１１１であって、仮設足場１１０の転倒を防止するための転倒防止材１１１が設けられる。
【００４７】
また、チェーンブロック１１２は、設置工程において第１付属構造物５１、第２付属構造物５２、又は第３付属構造物の構成要素の少なくとも一部を、所定位置まで昇降させるためのものである。このチェーンブロック１１２は、公知のチェーンブロック１１２を用いて構成されており、第４床部２４の吹き抜け開口４１の近傍に位置する第４梁部３４に対して取り付ける（図２では、チェーンブロック１１２を２つの第４梁部３４にそれぞれ取り付ける）。
【００４８】
（付属構造物の施工方法−運搬工程）
次に、運搬工程について説明する。運搬工程は、組立工程が行われる前の第１付属構造物５１を、第１付属構造物５１の組立作業を行う対象階層（ここでは、第３階層１ｂ）の設置空間Ｓに対応する位置まで運搬する工程である。なお、実施の形態では、第２付属構造物５２の組立作業を行う対象階層を第２階層１ａとして説明すると共に、第３付属構造物の組立作業を行う対象階層を第１階層として説明する（すなわち、多層建物１は複数の対象階層を含むものとする）。
【００４９】
具体的には、まず、第１付属構造物５１を、図示しない公知のクレーン等を用いて多層建物１の窓部（図示省略）を介して多層建物１の外部から内部に引き込む。次に、図示しない公知の台車等を用いて、第１付属構造物５１の第１階段部６０ａ及び第２階段部６０ｂを第３階層１ｂの設置空間Ｓに対応する位置まで運搬する。そして、図３に示すように、図示しない公知のチェーンブロック等を用いて第１階段部６０ａ及び第２階段部６０ｂを昇降させることにより、第１階段部６０ａを仮受梁部１００ａ及び仮設支持部９０の当接部９１に載置すると共に、第２階段部６０ｂを仮受梁部１００ｂ及び仮受梁部１００ｃに載置する。
【００５０】
このような運搬工程により、第２床部２２、第３床部２３、及び第４床部２４の各々の吹き抜け開口４１を閉鎖状態にして搬送作業を行うことができるので、例えば、運搬作業が行われる際に第１付属構造物５１の部材又は人が第３床部２３の吹き抜け開口４１を介して下の階層に落下することを回避できる。また、第１付属構造物５１、第２付属構造物５２、及び第３付属構造物の各々の搬送作業を並行して行うことができ、第１付属構造物５１、第２付属構造物５２、又は第３付属構造物の一部の搬送作業が第１付属構造物５１、第２付属構造物５２、又は第３付属構造物の他の一部の搬送作業の進捗に左右されることを回避でき、搬送工程を効率的に実施できる。
【００５１】
（付属構造物の施工方法−組立工程）
次に、組立工程について説明する。組立工程は、運搬工程の後に、第３階層１ｂで第１付属構造物５１の少なくとも一部を組み立てる工程である。
【００５２】
具体的には、図４に示すように、第１付属構造物５１の第１階段部６０ａ及び第２階段部６０ｂの各々における複数の載置部６３に段板部７０をそれぞれ載置し、当該載置した段板部７０を第１階段部６０ａ及び第２階段部６０ｂに対して固定具、溶接、又は嵌合構造等によって固定する。
【００５３】
このような組立工程により、第２床部２２、第３床部２３、及び第４床部２４の吹き抜け開口４１を閉鎖状態にして組立作業を行うことができるので、組立作業が行われる際に第１付属構造物５１の部材（例えば、段板部７０等）又は人が第３床部２３の吹き抜け開口４１を介して下の階層に落下することを回避できると共に、組立作業が行われる際に部材同士を溶接するときに生じた火花（又は煙）が第３床部２３の吹き抜け開口４１を介して下の階層に落下することを回避できる。また、第１付属構造物５１、第２付属構造物５２、及び第３付属構造物の各々の組立作業を並行して行うことができ、第１付属構造物５１、第２付属構造物５２、又は第３付属構造物の一部の組立作業が第１付属構造物５１、第２付属構造物５２、又は第３付属構造物の他の一部の組立作業の進捗に左右されることを回避でき、組立工程を効率的に実施できる。また、仕上工程後に段板部７０を取り付ける場合に比べて、第１階段部６０ａ及び第２階段部６０ｂの揺れが生じにくいことから、段板部７０を正確に取り付けることができる。また、組立作業での溶接に対する火気管理エリアが階層毎に完結できるので、火気管理者の人数の低減が図りやすくなる。そしてさらに、運搬工程の後に組立工程を行うので、例えば第３床部２３のうち設置空間Ｓに対応しない位置で第１付属構造物５１を組み立てる場合に比べて、組立後の第１付属構造物５１を第３床部２３における設置空間Ｓに対応する位置まで搬送する作業（いわゆる横引き作業）を省略でき、第１付属構造物５１の施工を効率的に行うことができる。
【００５４】
（付属構造物の施工方法−形成工程）
次に、形成工程について説明する。形成工程は、組立工程及び運搬工程が行われた後に、複数の床部２４のうち設置空間Ｓに対応する床部を撤去することにより、吹き抜け開口４１を形成する工程である。
【００５５】
具体的には、図５に示すように、まず、図示しない公知のチェーンブロック等を用いて第２床部２２、第３床部２３、及び第４床部２４の各々に設置された仮設床部２６を取り外す（撤去する）ことにより吹き抜け開口４１を形成する。その後、図示しない公知の台車等を用いて、上記取り外した仮設床部２６を多層建物１の外部まで運搬する。
【００５６】
（付属構造物の施工方法−設置工程）
次に、設置工程について説明する。設置工程は、形成工程にて形成された吹き抜け開口４１を介して組立工程にて組み立てられた第１付属構造物５１を昇降させた後に、当該第１付属構造物５１を設置空間Ｓに設置する工程である。
【００５７】
具体的には、図６に示すように、まず、チェーンブロック１１２を用いて、組立工程において段板部７０が取り付けられた第１付属構造物５１の第１階段部６０ａ及び第２階段部６０ｂを、所定位置までそれぞれ昇降させる。具体的には、第１階段部６０ａを、支持部４２の当接部４３及び第２梁部３２と当接可能な位置まで下降させると共に、第２階段部６０ｂを、支持部４２の当接部４３及び第３梁部３３と当接可能な位置まで上昇させる。この場合には、第１階段部６０ａ及び第２階段部６０ｂを昇降させた後の任意のタイミングで、仮設支持部９０及び仮受梁部１００ａ〜１００ｃを撤去する。次いで、上記下降した第１階段部６０ａを、支持部４２の当接部４３及び第２梁部３２に対して固定具又は溶接等によって固定すると共に、上記上昇した第２階段部６０ｂを支持部４２の当接部４３及び第３梁部３３に対して固定具又は溶接等によって固定する。
【００５８】
また、実施の形態のように、複数の付属構造物を設置する方法については任意であるが、例えば、チェーンブロック１１２を用いて、複数の付属構造物のうち上方に位置する付属構造物から下方に位置する付属構造物の順に設置してもよい。一例として、まず第１付属構造物５１を第３階層１ｂの設置空間Ｓに設置し、次いで第２付属構造物５２を第２階層１ａの設置空間Ｓに設置し、最後に第３付属構造物を第１階層の設置空間Ｓに設置してもよい。この場合において、例えば、形成工程では、設置対象となる付属構造物を昇降させるために必要な吹き抜け開口４１のみを形成することにより、すべての吹き抜け開口４１を一度に形成する場合に比べて、設置工程の作業時において付属構造物の部材又は人が吹き抜け開口４１を介して落下したときの被害を軽減できる。ただし、これに限らず、複数の付属構造物のうち下方に位置する付属構造物から上方に位置する付属構造物の順に設置してもよく、又は不規則な順序で設置してもよい。
【００５９】
（付属構造物の施工方法−仕上工程）
続いて、仕上工程について説明する仕上工程は、第１付属構造物５１の仕上げを行う工程である。ここで、「仕上げ」とは、例えば、第１付属構造物５１を塗装すること、第１付属構造物５１を完全に組み立てること、又は不要な器具等を撤去すること等を含む概念である。
【００６０】
具体的には、第１付属構造物５１の第１階段部６０ａ及び第２階段部６０ｂの各々に手摺部８０を取り付けることにより、第１付属構造物５１を完全に組み立てる。また、図示しない公知の塗布器具（例えば、刷毛等）を用いて第１付属構造物５１に塗料を塗布し、その後所定時間経過するまで常温で乾燥させることにより、第１付属構造物５１の塗装を行う。また、仮設足場１１０及びチェーンブロック１１２等の器具を撤去する。これにより、図１に示す第１付属構造物５１を施工することができる。
【００６１】
以上のような施工方法により、従来技術（既設の吹き抜け空間で各階層の階段部を設置する技術）に比べて、例えば、組立工程時又は運搬工程時での第１付属構造物５１又は第２付属構造物５２の部材、あるいは人が吹き抜け開口４１を介して下の階層に落下することを抑制できると共に、組立作業が行われる際に第１付属構造物５１等の部材同士を溶接するときに生じた火花（又は煙）が吹き抜け開口４１を介して下の階層に落下することを抑制できる。よって、組立工程時及び運搬工程時において人の作業安全性及び多層建物１の火災安全性を高めることができ、第１付属構造物５１、第２付属構造物５２、及び第３付属構造物を施工する際の安全性を確保しやすくなる。また、第１付属構造物５１、第２付属構造物５２、及び第３付属構造物の各々が階段であるので、組立工程時又は運搬工程時での階段の部材が吹き抜け開口４１を介して下の階層に落下することを抑制できると共に、組立作業が行われる際に階段の部材同士を溶接するときに生じた火花（又は煙）が吹き抜け開口４１を介して下の階層に落下することを抑制でき、階段を施工する際の安全性を確保しやすくなる。
【００６２】
（実施の形態の効果）
このように実施の形態１によれば、組立工程及び運搬工程が行われた後に、多層建物１を構成する複数の床部のうち設置空間Ｓに対応する床部の一部を撤去することにより、吹き抜け開口４１を形成する形成工程と、形成工程にて形成された吹き抜け開口４１を介して組立工程において組み立てられた第１付属構造物５１、第２付属構造物５２、及び第３付属構造物を昇降させることにより、第１付属構造物５１、第２付属構造物５２、及び第３付属構造物を設置空間Ｓに設置する設置工程と、を含むので、従来技術（既設の吹き抜け空間で各階層の階段部を設置する技術）に比べて、例えば、組立工程時又は運搬工程時での第１付属構造物５１又は第２付属構造物５２の部材、あるいは人が吹き抜け開口４１を介して下の階層に落下することを抑制できると共に、組立作業が行われる際に第１付属構造物５１又は第２付属構造物５２の部材同士を溶接するときに生じた火花（又は煙）が吹き抜け開口４１を介して下の階層に落下することを抑制できる。よって、組立工程時及び運搬工程時において人の作業安全性及び多層建物１の火災安全性を高めることができ、第１付属構造物５１、第２付属構造物５２、及び第３付属構造物を施工する際の安全性を確保しやすくなる。
【００６３】
また、運搬工程において、組立工程が行われる前の第１付属構造物５１、第２付属構造物５２、及び第３付属構造物を対象階層における設置空間Ｓに対応する位置まで運搬し、組立工程において、運搬工程にて運搬された第１付属構造物５１、第２付属構造物５２、及び第３付属構造物の各々の少なくとも一部を組み立てるので、例えば第１付属構造物５１、第２付属構造物５２、及び第３付属構造物のうち設置空間Ｓに対応しない位置で第１付属構造物５１、第２付属構造物５２、及び第３付属構造物を組み立てる場合に比べて、組立後の第１付属構造物５１、第２付属構造物５２、及び第３付属構造物を対象階層における設置空間Ｓに対応する位置まで搬送する作業（いわゆる横引き作業）を省略でき、第１付属構造物５１、第２付属構造物５２、及び第３付属構造物の施工を効率的に行うことができる。
【００６４】
また、組立工程において、複数の対象階層の各々で第１付属構造物５１、第２付属構造物５２、及び第３付属構造物を組み立て、運搬工程において、組立工程が行われる前又は組立工程が行われた後の第１付属構造物５１、第２付属構造物５２、及び第３付属構造物を複数の対象階層の各々に搬送し、形成工程において、複数の対象階層の各々に対応する床部の一部を撤去することにより、吹き抜け開口４１を複数形成し、設置工程において、複数の対象階層の各々に対応する吹き抜け開口４１を介して複数の対象階層の各々で組み立てられた第１付属構造物５１、第２付属構造物５２、及び第３付属構造物をそれぞれ昇降させた後に、第１付属構造物５１、第２付属構造物５２、及び第３付属構造物を設置空間Ｓにそれぞれ設置するので、第１付属構造物５１、第２付属構造物５２、及び第３付属構造物の各々の搬送作業及び組立作業を並行して行うことができ、第１付属構造物５１、第２付属構造物５２、又は第３付属構造物の一部の搬送作業が第１付属構造物５１、第２付属構造物５２、又は第３付属構造物の他の一部の搬送作業の進捗に左右されることを回避でき、組立工程及び搬送工程を効率的に実施できる。
【００６５】
また、第１付属構造物５１、第２付属構造物５２、及び第３付属構造物の各々が階段を含むので、組立工程時又は運搬工程時での階段の部材が吹き抜け開口４１を介して下の階層に落下することを抑制できると共に、組立作業が行われる際に階段の部材同士を溶接するときに生じた火花（又は煙）が吹き抜け開口４１を介して下の階層に落下することを抑制でき、階段を施工する際の安全性を確保しやすくなる。
【００６６】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６９】
（付属構造物について）
上記実施の形態では、付属構造物の階段の種別が、折り返し階段であると説明したが、これに限らず、例えば、直階段、かね折れ階段、又はらせん階段であってもよい。
【００７０】
また、上記実施の形態では、付属構造物の設置数が３つであると説明したが、これに限らない。例えば、多層建物１の階層のうち第１階層から第３階層１ｂ以外の他の階層（一例として、第４階層１ｃ等）に付属構造物を設置する場合には、付属構造物の設置数が４つ以上であってもよい。あるいは、付属構造物の設置数が１つのみであってもよい。
【００７１】
また、上記実施の形態では、第１階段部６０ａ及び第２階段部６０ｂの各々が、階段部本体６１ａ及び踊場部６２ａを一体形成すると共に、階段部本体６１ｂ及び踊場部６２ｂを一体形成することで構成されていると説明したが、これに限らず、例えば、階段部本体６１ａ及び踊場部６２ａを別体に形成すると共に、階段部本体６１ｂ及び踊場部６２ｂを別体に形成することで構成されてもよい。この場合には、第１付属構造物５１の施工方法の運搬工程及び組立工程については、以下の通りに実施してもよい。すなわち、運搬工程においては、多層建物１の内部に引き込まれた第１付属構造物５１を、第３階層１ｂの設置空間Ｓに対応する位置まで運搬する。また、組立工程においては、まず、階段部本体６１ａ及び踊場部６２ａを溶接等で接続すると共に、階段部本体６１ｂ及び踊場部６２ｂを溶接等で接続することにより、第１階段部６０ａ及び第２階段部６０ｂを構成する。次に、チェーンブロック等を用いて第１階段部６０ａ及び第２階段部６０ｂを昇降させることにより、第１階段部６０ａを仮受梁部１００ａ及び仮設支持部９０の当接部９１に載置すると共に、第２階段部６０ｂを仮受梁部１００ｂ及び仮受梁部１００ｃに載置する。そして、第１階段部６０ａ及び第２階段部６０ｂの各々における複数の載置部６３に段板部７０を取り付ける。
【００７２】
（施工方法について）
上記実施の形態では、準備工程及び仕上工程が行われると説明したが、これに限らない。例えば、支持部４２、仮設支持部９０、仮受梁部１００ａ〜１００ｃ、及び仮設足場１１０の設置を必要としない場合には、準備工程を省略してもよい。また、第１付属構造物５１、第２付属構造物５２、及び第３付属構造物の塗装等を必要としない場合には、仕上工程を省略してもよい。
【００７３】
また、上記実施の形態では、組立工程が運搬工程の後に行われると説明したが、これに限らない。例えば、組立工程が運搬工程の前に行われてもよい。一例として、組立工程において、多層建物１の外部から内部に引き込まれた第１付属構造物５１の第１階段部６０ａ及び第２階段部６０ｂを第３階層１ｂの設置空間Ｓに対応する位置から若干離れた位置まで運搬し、当該位置でこれら第１階段部６０ａ及び第２階段部６０ｂに段板部７０を取り付ける。そして、運搬工程において、段板部７０が取り付けられた第１階段部６０ａ及び第２階段部６０ｂを、第３階層１ｂの設置空間Ｓに対応する位置まで運搬してもよい（なお、第２付属構造物５２及び第３付属構造物についても同様とする）。
【００７４】
また、上記実施の形態では、仕上工程において、第１付属構造物５１、第２付属構造物５２、及び第３付属構造物の各々に手摺部８０を取り付けると説明したが、これに限らず、例えば、組立工程において、第１付属構造物５１、第２付属構造物５２、及び第３付属構造物の各々に手摺部８０を取り付けてもよい。
【００７５】
（付記）
付記１の付属構造物の施工方法は、多層建物において複数の階層にわたって設置される付属構造物を施工するための施工方法であって、前記複数の階層のうち前記付属構造物の組立作業を行う対象となる対象階層で前記付属構造物の少なくとも一部を組み立てる組立工程と、前記組立工程が行われる前又は前記組立工程が行われた後の前記付属構造物を前記対象階層における前記付属構造物を設置する設置空間に対応する位置まで運搬する運搬工程と、前記組立工程及び前記運搬工程が行われた後に、前記多層建物を構成する複数の床部のうち前記設置空間に対応する床部の一部を撤去することにより、吹き抜け開口を形成する形成工程と、前記形成工程にて形成された前記吹き抜け開口を介して前記組立工程において組み立てられた前記付属構造物を昇降させることにより、当該付属構造物を前記設置空間に設置する設置工程と、を含む。
【００７６】
付記２の付属構造物の施工方法は、付記１に記載の付属構造物の施工方法において、前記運搬工程において、前記組立工程が行われる前の前記付属構造物を前記対象階層における前記設置空間に対応する位置まで運搬し、前記組立工程において、前記運搬工程にて運搬された前記付属構造物の少なくとも一部を組み立てる。
【００７７】
付記３の付属構造物の施工方法は、付記１又は２に記載の付属構造物の施工方法において、前記多層建物において複数の前記付属構造物を施工するための当該施工方法であって、前記複数の階層は、前記対象階層を複数含み、前記組立工程において、前記複数の対象階層の各々で前記付属構造物を組み立て、前記運搬工程において、前記組立工程が行われる前又は前記組立工程が行われた後の前記付属構造物を前記複数の対象階層の各々に搬送し、前記形成工程において、前記複数の対象階層の各々に対応する前記床部の一部を撤去することにより、前記吹き抜け開口を複数形成し、前記設置工程において、前記複数の対象階層の各々に対応する前記吹き抜け開口を介して前記複数の対象階層の各々で組み立てられた前記付属構造物をそれぞれ昇降させた後に、当該付属構造物を前記設置空間にそれぞれ設置する。
【００７８】
付記４の付属構造物の施工方法は、付記１から３のいずれか一項に記載の付属構造物の施工方法において、前記付属構造物は、階段を含む。
【００７９】
（付記の効果）
付記１に記載の付属構造物の施工方法によれば、組立工程及び運搬工程が行われた後に、多層建物を構成する複数の床部のうち設置空間に対応する床部の一部を撤去することにより、吹き抜け開口を形成する形成工程と、形成工程にて形成された吹き抜け開口を介して組立工程において組み立てられた付属構造物を昇降させることにより、当該付属構造物を設置空間に設置する設置工程と、を含むので、従来技術（既設の吹き抜け空間で各階層の階段部を設置する技術）に比べて、例えば、組立工程時又は運搬工程時での付属構造物の部材又は人が吹き抜け開口を介して下の階層に落下することを抑制できると共に、組立作業が行われる際に付属構造物の部材同士を溶接するときに生じた火花（又は煙）が吹き抜け開口を介して下の階層に落下することを抑制できる。よって、組立工程時及び運搬工程時において人の作業安全性及び多層建物の火災安全性を高めることができ、付属構造物を施工する際の安全性を確保しやすくなる。
【００８０】
付記２に記載の付属構造物の施工方法によれば、運搬工程において、組立工程が行われる前の付属構造物を対象階層における設置空間に対応する位置まで運搬し、組立工程において、運搬工程にて運搬された付属構造物の少なくとも一部を組み立てるので、例えば対象階層のうち設置空間に対応しない位置で付属構造物を組み立てる場合に比べて、組立後の付属構造物を対象階層における設置空間に対応する位置まで搬送する作業（いわゆる横引き作業）を省略でき、付属構造物の施工を効率的に行うことができる。
【００８１】
付記３に記載の付属構造物の施工方法によれば、組立工程において、複数の対象階層の各々で付属構造物を組み立て、運搬工程において、組立工程が行われる前又は組立工程が行われた後の付属構造物を複数の対象階層の各々に搬送し、形成工程において、複数の対象階層の各々に対応する床部の一部を撤去することにより、吹き抜け開口を複数形成し、設置工程において、複数の対象階層の各々に対応する吹き抜け開口を介して複数の対象階層の各々で組み立てられた付属構造物をそれぞれ昇降させた後に、当該付属構造物を設置空間にそれぞれ設置するので、複数の付属構造物の各々の搬送作業及び組立作業を並行して行うことができ、複数の付属構造物の一部の搬送作業が複数の付属構造物の他の一部の搬送作業の進捗に左右されることを回避でき、組立工程及び搬送工程を効率的に実施できる。
【００８２】
付記４に記載の付属構造物の施工方法によれば、付属構造物が階段を含むので、組立工程時又は運搬工程時での階段の部材が吹き抜け開口を介して下の階層に落下することを抑制できると共に、組立作業が行われる際に階段の部材同士を溶接するときに生じた火花（又は煙）が吹き抜け開口を介して下の階層に落下することを抑制でき、階段を施工する際の安全性を確保しやすくなる。
【符号の説明】
【００８３】
１  多層建物
１ａ  第２階層
１ｂ  第３階層
１ｃ  第４階層
１０  天井部
２２  第２床部
２３  第３床部
２４  第４床部
２６  仮設床部
３１  第１梁部
３２  第２梁部
３３  第３梁部
３４  第４梁部
４１  吹き抜け開口
４２  支持部
４３  当接部
４４ａ、４４ｂ  支柱部
５１  第１付属構造物
５２  第２付属構造物
６０ａ  第１階段部
６０ｂ  第２階段部
６１ａ、６１ｂ  階段部本体
６２ａ、６２ｂ  踊場部
６３  載置部
７０  段板部
８０  手摺部
９０  仮設支持部
９１  当接部
１００ａ、１００ｂ、１００ｃ  仮受梁部
１１０  仮設足場
１１１  転倒防止材
１１２  チェーンブロック
Ｓ  設置空間
【図１】
2020020168.tif 000003
【図２】
2020020168.tif 000004
【図３】
2020020168.tif 000005
【図４】
2020020168.tif 000006
【図５】
2020020168.tif 000007
【図６】
2020020168.tif 000008